(57)【要約】      （修正有）【課題】震度５強を越える地震の際にブレーカーが遮断し、震度４以下では作動しない設計で、取付け易く、様々な形の分電盤や色々の幅や構造のブレーカーのつまみに対応でき、かつ停電の暗闇の中でも位置認識のできる錘落下式感震電流ブレーカー操作器具を提供する。【解決手段】L字型のプレート１をブレーカーのつまみ１０に差込み、その水平部の穴２に球錘９を載せ、震度５強を超える２５０ガル以上で錘が必ず落下するように、錘の重さと大きさ、穴の大きさ、つまみの差込の位置を決定し、差込む穴の上面のテーパー加工によりＬ字型のプレートを安定的に設置、Ｌ字プレートの垂直部分８や錘の表面１４へ蓄光塗料を塗布する。【選択図】図４
0003103509.tif 000002
【実用新案登録請求の範囲】
【請求項１】
電流ブレーカーのつまみに差込んで取付ける孔を有するＬ字型のプレートにおいて、垂直部分と水平部分の両面に穴が開けてあり、垂直部分の穴はブレーカーのつまみの根元へ差込んで取付けする為の孔であり、かつ、水平部分の穴の上に、鎖の一端がブレーカーのつまみの先に取付けられ、他端に取付けられた重さ３０グラム以上の鎖付きの錘を乗せ得る構造の錘落下式感震電流ブレーカー操作器具
【請求項２】
L字型プレートの垂直部分の穴が、ブレーカーのつまみの幅に合わせて、穴幅の調整が可能で、つまみの中心線が差込む穴の中心線と合致させ得る穴幅調整機構を有する請求項１の錘落下式感震電流ブレーカー操作器具
【請求項３】
Ｌ字型プレートの垂直面開口部の上辺、すなわちプレートを取付けた時にブレーカーのつまみの根元の上部に接する板厚の部分をテーパー状に傾斜加工し、該操作器具の全重量がテーパー部の先端に集中して掛かる事により操作器具全体がつまみの根元に食込む形で安定する様にした構造の請求項１及び２の錘落下式感震電流ブレーカー操作器具
【請求項４】
Ｌ字型プレートをブレーカーに取り付けた状態で、該操作器具の位置の認識性を良くするため、垂直部分の穴の周辺又は、及び錘の表面に、夜光塗料又は蓄光塗料を塗布或は粘着テープで貼り付けた請求項１、２及び３の錘落下式感震電流ブレーカー操作器具
【請求項５】
遮断すべきブレーカーが収められた分電盤の構造によってはＬ字型プレートをつまみに引掛けて取付ける事が出来ないケースがあるが、その場合でも、つまみの垂直線上の取付けに適した場所、分電盤の器具窓の縁や盤の角、壁面、柱、鴨居等に取付し易くする為、プレートの一部にネジ孔や、曲げ加工し易くする為の切欠きを有する構造の請求項１、２、３及び４の錘落下式感震電流ブレーカー操作器具
【考案の詳細な説明】
【技術分野】
【０００１】
本考案は、地震の際に一定限度以上の揺れを感知して各家庭の元電源のブレーカーをいち早く自動遮断し、電気火災を防止するためにブレーカーに付加的に設置する錘落下式感震電流ブレーカー操作器具に関する。
【背景技術】
【０００２】
これまで、錘落下式感震電流ブレーカー操作器具は、多くの特許、実用新案登録、意匠公報により知られている（特許文献１、２、３、４、５、６、７、８，９，１０）。ガス管の回路開閉具について錘式の地震回路遮断機も知られている（特許文献１１）。また、第３９回暮らしの発明展にも出展されていた（非特許文献１）。これらのほとんどは、地震によって錘が落下し、落下力で、ブレーカーのつまみを下に引き、電気回路を遮断するものであり、その仕組みに工夫がある。錘を乗せる台、錘に付いた鎖のブレーカーへの取付け方などによって、それぞれ構造の異なる器具となっている。しかし、基本的な考え方は、昭和５３年出願の住友ゴム工業のガス管路の地震時の遮断器にある（特許文献１１）。さらに、暮らしの発明展にもオマカセクンの名前で出展されたが、この出展試作品も錘落下方式の特許文献１０のものである（非特許文献１）。
【０００３】
【特許文献１】特公開平１０−６４４０１
【特許文献２】特開平０８−２８７８１２
【特許文献３】特開平０９−１４７７３０
【特許文献４】特開平０９−１８０６１９
【特許文献５】特開平１１−６７０４５
【特許文献６】特開平１１−２８８６５５
【特許文献７】特開２０００−１１３７９７Ａ
【特許文献８】実用新案登録第３０６６０３４号
【特許文献９】実用新案登録第３０２６３８７号
【特許文献１０】意願平１０−６９４１登録意匠番号１０５５４２１
【特許文献１１】実願昭５３−１３６９２９  公開実用新案公報昭５５−５２７４４
【非特許文献１】第３９回暮らしの発明展  地震対応電源遮断装置のカタログ
【考案の開示】
【考案が解決しようとする課題】
【０００４】
特許や実用新案に見られる背景技術には、以下の課題があり、本考案はこれを解決するものである。
錘を乗せるＬ字型プレートの取付方法が簡単である事。工具が無くても、又は工具の使用に不慣れな人でも取付けが簡単である事が望ましい。特許文献２、３、４、６、８，９，１１に見られる構造では、錘を乗せる台を固定するために工具が必要で、一般的に高所に設置される分電盤付近に足場を準備して家庭で素人が取付けるのは難い。尚、接着剤や粘着テープでの取付は、錘等の重量が常時剥がす力となって作用し、壁紙が剥がれたり、ブレーカーや電線の発熱、高所での調理熱や湯気、夏の熱気がこもる等で粘着が剥がれ易すく、接着寿命の面でも望ましくない。
錘を乗せるＬ字型プレートの取付場所の選定に誰でも迷いが無く正確に取付できる事が望ましい。ブレーカーのつまみに近く、つまみの垂直線上が望ましい。ところがこの場所には直近に大電流の電線が集中し、錘を乗せるＬ字型プレートを固定するピン、ネジや釘の先が電線被覆を突き破る危険性がある。特許文献２，３，６、１１の構造ではこの点に注意を要する。危険性を避ける為、離れた場所に取付ると落下する錘がブランコのように振れてつまみに作用する下方向の落下力が生じ難くなり、鎖の長さ選定も難しくなる。家庭で素人が場所選定をするのは難しい。
ブレーカーのつまみに掛けて取付ける方法に於いては、ブレーカーの電気特性に影響を与えない方法で無ければならない。特許文献１では、特性に敏感なつまみの先端に全重量が常時掛かるので遮断性能に悪影響を与え、又大きさの異なる多様なつまみに対応し難い。特許文献７では、錘落下衝撃力がつまみの根元付近に掛かるため、つまみを遮断方向に回転させるトルクが不足し確実な作動が期待できず、つまみの回転軸を破損せしめたりする恐れがある。
錘につながっている鎖の一端を、ブレーカーのつまみに簡単に取付るために、つまみの先端には取付けるための穴や金具が必要となる。特許文献３、４、５、６、８，９，１０等の取付け図の方法はつまみの先に穴の有るブレーカーとなっているが、穴の有るブレーカーは限られている。どのような種類のつまみにも容易に確実に取付が可能な金具が普及のためには欠かせない。
夜の地震時に、暗闇の中で、ブレーカーのつまみの位置を探すのに困る。特許文献３は地震時にブレーカーの遮断と同時に電池を電源とするランプを点灯させて認識性を確保する方式であるが、数十年に一度の単位の作動に対しては電池の保守が難しい。
特許文献１、７の錘落下式感震電流ブレーカー操作器具では、購入者が自宅のブレーカーのつまみに取付けることが出来ない場合に、ブレーカー近傍の壁表面、柱等の表面には、取付けることが出来ない構造であった。
したがって、特許、実用新案に見られる電流遮断器具には、ホームセンターで買ってきて、自分で取付けるには、いくつかのハードルがあった。
さらに、震度４程度の地震では、電流遮断が起こらなく、震度５強を超える地震では確実に遮断するような設計になっていない物も見られ、実用上の課題があった。
【課題を解決するための手段】
【０００５】
プレートをＬ字型にしたものに、ブレーカーのつまみへの差込みと錘の台の二つの機能を付与することにより、素人にでも取付け場所を迷うことなく取付けし易い構造とした。
ブレーカーのつまみの幅寸法の大小によらず、L字型プレートがつまみの左右に偏ることなく正確に固定できるように、つまみの幅に合せて、通す部分の大きさが折り曲げて自在に幅調整可能な切込みを入れた小片部分が観音開きする構造とした。また、つまみに引掛ける開口部の上辺に縦方向に狭いピッチで予め切込みを設けておき、つまみの幅に合せてピッチ幅の歯を抜く様に切欠く方法もある。
ブレーカーのつまみの先に、つまみの寸法、形態によらず、鎖がワンタッチで容易に連結できるように、クリップ状の板バネで強固に咥える構造とした。
L字型プレートの垂直部分に、ねじ穴や切込みを入れて、ブレーカーのつまみ以外のところへの取付け作業が容易となる構造とした。
L字型プレートや錘に蓄光塗料を塗る事により、特許文献３の様に地震時にブレーカーの遮断と同時に電池で点灯するのではなく、消耗が無く保守不要で地震に関係なく暗闇になった時におけるブレーカーの位置認識が出来る。
したがって、本考案の構造は、家庭用においても、様々な構造のブレーカーに対応できるマルチ対応型の錘落下式感震電流ブレーカー操作器具となった。
遮断する地震の震度と感度の関係は、日本配線器具工業会の内規に合致することを目安にした。本考案では、７０ガル（震度４）以下ではで遮断せず、２５０ガル（震度５強超）では、確実に遮断するように、錘の寸法、Ｌ字型のプレートの水平部の穴の大きさ、錘に接触するプレートの断面の傾きの３要素を、加工、取付け時のばらつきを考慮に入れて計算により設計した。
【考案の効果】
【０００６】
前項の課題を解決するための手段１、２、３、４、によって、古くは数十年も前から使用普及されてきた多種多様な４０００万世帯とも言われる家庭用のブレーカーと分電盤に適応し易い構造であるため、該操作器を購入したが取付けが出来ないと言った苦情の少ない、実用性の高い、加工難度が低い少数の部品で構成される器具となった。さらに、５の蓄光塗料によって、夜間においても、暗闇の中で、ブレーカーの位置を認識することができる錘落下式感震電流ブレーカー操作器具となった。事実、自宅の分電盤が何処にあるのか、明確に答えられない人が多い中、日常的に暗闇の中でボーッと光るブレーカーを認識し続ければ、緊急の事態に役に立つに違いない。近年日本で大量に生産されて来た主要な家庭用分電盤対応の６０アンペア程度の大型漏電ブレーカーの製品の遮断操作力は５００グラム重近傍で揃っており設計と普及には都合が良い。
【考案を実施するための最良の形態】
【０００７】
Ｌ字型プレートの垂直部分は、約３．５ｃｍ、幅約２．５ｃｍとし、穴の大きさは、縦約１．７ｃｍ、横約１．５ｃｍで、主要なブレーカーに対応できる。水平部分の穴の大きさは約７ｍｍ付近で球錘の径による。Ｌ字型のプレートの厚みは１ｍｍのアルミニウムが最良である。球状の錘の場合には、金属の比重によるが、鉛の場合には、直径が１５ｍｍから２５ｍｍの間が適している。
【０００８】
垂直部分の穴の形態として、容易に変形できる観音開き様の構造の扉状に開口し、ブレーカーのつまみの幅寸法に応じて開口部を固定できる方式が最良である。また、Ｌ字型のプレートの垂直部分の表面には、蓄光塗料が塗ってあり、暗闇になって後数十分間は光る構造にした。さらに、ブレーカーの正面のカバーやつまみの覗き窓が邪魔になる等でＬ字型のプレートがつまみに差し込めない場合には、垂直部分の最上部が手で容易く前後に−１８０度〜０〜＋１８０度、曲率半径0.5〜5mmの範囲で曲げられるように、左右に切込みを入れる、垂直部分の最上部にネジ穴を開けることにより、多くの家庭で工具が無くても又はドライバーのみで取付可能になるケースが増える。
【実施例１】
【０００９】
本考案で示す構造の錘落下式感震電流ブレーカー操作器具では、請求項で記述した色々の機能付加が可能であるが、その１例を実施例で示す。
図１に示す構造のＬ字型のプレート１を作成した。２は、鉛の球錘を乗せる穴である。３は、ブレーカーのつまみに差し込む穴である。４は、ブレーカーのつまみの幅に合せて開き、中央部につまみを固定する観音開き様にプレートの一部が開いた構造を示すものである。５は、万一ブレーカーのつまみが差し込めない場合に、垂直部分の上部を取付け場所に合せて折線が水平に曲げられるようにした左右対称の切込みである。６は、分電盤面、壁、柱、横桟等垂直平面にネジ等で取付し易くするためのネジ穴である。７は、３の穴の上側１辺の部材厚みの部分にテーパー加工を施して、ブレーカーのつまみの根元上面にテーパーの先端が密着するようにした。これは図２でまた説明する。８には蓄光塗料を塗布して、垂直面が暗闇でも認識可能にした。
【００１０】
図２は、Ｌ字型プレートの中央垂直断面である。ブレーカーのつまみに３の穴を差し込んだ図である。９はプレートの水平部の穴２の上に載せた球錘である。１０が、ブレーカーのつまみであり、１０の根元に差し込まれた状態を示している。７が穴の上側１辺にテーパー加工を施した部分であり、図２の７の先端が１０のつまみの根元に球錘の重さで密着している。これによってＬ字型のプレートが、安定して設置できた。
【００１１】
図３は、L字型に曲げ加工する前の、作成したプレートの展開図であり、２が水平部分に開けた穴である。２の穴の周囲に一定の幅の狭い縁を設けて、地震の揺れの方向に関り無く球錘の落下の様子が揃い該操作器具の感度方向特性を均一化する様に工夫した。３は、ブレーカーのつまみを通す穴である。４は、つまみの幅によって穴の幅を調整できる観音開き部である。５は、切込みであり、６はねじ穴である。１１は曲げ加工用パイロット穴であり、直角曲げ加工に於けるばらつきを少なくする工夫である。ここで９０度に曲げて図１の製品を作成する。
【００１２】
図４は、Ｌ字型プレートの錘落下式感震電流ブレーカー操作器具試作品を下方から斜視的に眺めた図である。９の鉛製の錘には、１２の鎖が付属しており、その一端は、１３の先端に歯状の滑り止めを持つコの字型の板バネのクリップによってブレーカーのつまみ  １０に結合している。地震の限度以上の揺れ加速度と振幅により、錘は水平のプレートの穴２から外れて下方に落下し、鎖１２が伸びきった時の錘の運動量の変化によって、つまみ１０は下方に回動し、電流は遮断する。ブレーカーはそのつまみが下端まで回動しなくても、電流は完全に切れる構造になっており、少し下方へ回動するのみで、遮断機構が作動する。１３は、板バネのクリップで差し支えないが、コの字型の厚板の下側の一遍にタップを切りネジで固定してもよい。１４は、２０ｍｍの鉛の錘の表面に、約５ｍｍの幅で、蓄光塗料を塗布してあり、暗闇で、図１の８と共に、ブレーカー位置の認識をし易くした。
【産業上の利用可能性】
【００１３】
震度５強を超える地震の際に、家屋が崩壊し、電源が入ったままであると火災が発生し、死者の数は多数に上る。家屋が崩壊する震度の地震があった時に、家が崩壊する前に、ブレーカーが落ちて、電流を遮断できる、錘落下式感震電流ブレーカー操作器具である。各家庭の配電盤にあるメインのブレーカーに取り付けてもらうと同時に、工場のブレーカーに合わせて、本考案の錘落下式感震電流ブレーカー操作器具を設計すれば、危険薬品や可燃性の物質を生産している工場の火災を防止することができる。事務所、学校、店舗等無人となる時間が長い場所での大地震時の自動電源遮断が安価に実現できる器具であるといえる。色々の大きさのブレーカーのつまみに対応できる構造としたため、多くの配電盤において利用できる商品である。
【図面の簡単な説明】
【００１４】
【図１】本考案の錘落下式感震電流ブレーカー操作器具のＬ字型プレートの斜視図である。
【図２】本考案の錘落下式感震電流ブレーカー操作器具のＬ字型プレートの断面図である。
【図３】本考案の錘落下式感震電流ブレーカー操作器具のＬ字型に曲げ加工する前の展開図である。
【図４】本考案の錘落下式感震電流ブレーカー操作器具をブレーカーに取付け下方よりの斜視図である。
【符号の説明】
【００１５】
１  Ｌ字型のプレート
２  錘を乗せるプレートの水平部分にある穴
３  ブレーカーのつまみを差し込む穴
４  ブレーカーのつまみの幅に合わせて穴の幅を調整する観音開きになる垂直プレートの
一部分
５  ３の穴が差込んで取付ができない分電盤やブレーカーのつまみの場合に、Ｌ字プレートを現場に合せて取付けるために上部を容易く曲げるための切り込み
６  ５と同様につまみに取付けが出来ず、取付け場所が垂直平面の場合、ネジ、木ネジ等でＬ字プレートを固定するためのネジ穴
７  テーパー状にカットしてあるブレーカーのつまみに差し込む穴の上部
８  Ｌ字型のプレートの垂直部に塗装した蓄光塗料
９  ２の穴に乗せた鉛の球錘
１０  Ｌ字型のプレートを取付けるブレーカーのつまみ
１１  打ち抜いた平板からＬ型に曲げ加工するときの加工位置のパイロット穴
１２  錘をブレーカーのつまみにつないでいる鎖
１３  鎖をブレーカーのつまみに固定しているクリップ
１４  錘の表面に帯状に塗装した蓄光塗料
【図１】
0003103509.tif 000003
【図２】
0003103509.tif 000004
【図３】
0003103509.tif 000005
【図４】
0003103509.tif 000006